(57)【要約】【課題】番組視聴中においても、番組に関連する情報を検索エンジンから取得すること。【解決手段】放送信号から字幕データを取得する信号処理部１１６と、字幕データからキーワードを抽出するキーワード抽出部２００と、抽出したキーワードを放送信号による映像とともに表示させるキーワード表示指示部２０４と、表示したキーワードについて検索の指示を受けた場合に、通信ネットワークを介して検索エンジンによるキーワード検索を実行させる検索指示部２０８と、検索エンジンによる検索結果を表示させる検索結果表示部２１０と、を備える。【選択図】図２
2010154258.tif 000002
【特許請求の範囲】
【請求項１】
放送信号から字幕データを取得する信号処理部と、
前記字幕データからキーワードを抽出するキーワード抽出部と、
抽出したキーワードを放送信号による映像とともに表示させるキーワード表示指示部と、
表示したキーワードについて検索の指示を受けた場合に、通信ネットワークを介して検索エンジンによるキーワード検索を実行させる検索指示部と、
前記検索エンジンによる検索結果を表示させる検索結果表示部と、
を備える、放送受信装置。
【請求項２】
前記キーワード抽出部により抽出されたキーワードの出現頻度を算出する出現頻度算出部を備え、
前記キーワード表示指示部は、複数のキーワードを出現頻度順に表示させる、請求項１に記載の放送受信装置。
【請求項３】
前記キーワード抽出部は、ユーザにより指定された番組が受信されている場合にのみキーワードを抽出する、請求項１に記載の放送受信装置。
【請求項４】
放送信号に含まれる字幕データからキーワードを抽出するステップと、
抽出したキーワードを放送信号による映像とともに表示させるステップと、
表示したキーワードについて検索の指示を受けた場合に、通信ネットワークを介して検索エンジンによるキーワード検索を実行させるステップと、
前記検索エンジンによる検索結果を表示させるステップと、
を備える、キーワード検索方法。
【請求項５】
放送信号に含まれる字幕データからキーワードを抽出する手段、
抽出したキーワードを放送信号による映像とともに表示させる手段、
表示したキーワードについて検索の指示を受けた場合に、通信ネットワークを介して検索エンジンにキーワード検索を実行させる手段、
前記検索エンジンによる検索結果を表示させる手段、
としてコンピュータを機能させるためのプログラム。
【発明の詳細な説明】
【技術分野】
【０００１】
本発明は、放送受信装置、キーワード検索方法及びプログラムに関する。
【背景技術】
【０００２】
従来、例えば下記の特許文献１に記載されているように、デジタルテレビジョンシステムにおいて、電子番組ガイド（ＥＰＧ）データのフリーテキスト検索を提供することを目的とした技術が知られている。
【０００３】
【特許文献１】特開２００４−２８９８４８号公報
【発明の開示】
【発明が解決しようとする課題】
【０００４】
しかしながら、デジタルテレビなどの視聴者にとっては、番組を視聴している際に、番組から得られる情報について更なる情報収集を行いたい場合がある。上記従来の技術は、電子番組ガイドデータのテキスト検索を想定しているのみであるため、番組の視聴中に関連するテキストの検索を行うことはできない。このため、番組視聴中に視聴者が更なる情報を取得したいと考える場合であっても、情報の収集ができないという問題があった。
【０００５】
そこで、本発明は、上記問題に鑑みてなされたものであり、本発明の目的とするところは、番組視聴中においても、番組に関連する情報を検索エンジンから取得することが可能な、新規かつ改良された放送受信装置、キーワード検索方法及びプログラムを提供することにある。
【課題を解決するための手段】
【０００６】
上記課題を解決するために、本発明のある観点によれば、放送信号から字幕データを取得する信号処理部と、前記字幕データからキーワードを抽出するキーワード抽出部と、抽出したキーワードを放送信号による映像とともに表示させるキーワード表示指示部と、表示したキーワードについて検索の指示を受けた場合に、通信ネットワークを介して検索エンジンによるキーワード検索を実行させる検索指示部と、前記検索エンジンによる検索結果を表示させる検索結果表示部と、を備える、放送受信装置が提供される。
【０００７】
上記構成によれば、放送信号から字幕データが取得され、取得された字幕データからキーワードが抽出され、抽出したキーワードは放送信号による映像とともに表示される。表示したキーワードについて検索の指示を受けた場合に、通信ネットワークを介して検索エンジンによるキーワード検索が実行され、検索結果が表示される。従って、放送された情報に関して、検索エンジンから更なる情報を取得することが可能となる。
【０００８】
また、前記キーワード抽出部により抽出されたキーワードの出現頻度を算出する出現頻度算出部を備え、前記キーワード表示指示部は、複数のキーワードを出現頻度順に表示させる。かかる構成により、ユーザは、出現頻度の高いキーワードについて更なる検索を行うことができる。
【０００９】
また、前記キーワード抽出部は、ユーザにより指定された番組が受信されている場合にのみキーワードを抽出する。かかる構成により、全ての番組についてキーワードの抽出を行う必要がなく、処理量を低減することができる。
【００１０】
また、上記課題を解決するために、本発明の別の観点によれば、放送信号に含まれる字幕データからキーワードを抽出するステップと、抽出したキーワードを放送信号による映像とともに表示させるステップと、表示したキーワードについて検索の指示を受けた場合に、通信ネットワークを介して検索エンジンによるキーワード検索を実行させるステップと、前記検索エンジンによる検索結果を表示させるステップと、を備える、キーワード検索方法が提供される。
【００１１】
上記構成によれば、放送信号に含まれる字幕データからキーワードが抽出され、抽出したキーワードは放送信号による映像とともに表示される。表示したキーワードについて検索の指示を受けた場合に、通信ネットワークを介して検索エンジンによるキーワード検索が実行され、検索結果が表示される。従って、放送された情報に関して、検索エンジンから更なる情報を取得することが可能となる。
【００１２】
また、上記課題を解決するために、本発明の別の観点によれば、放送信号に含まれる字幕データからキーワードを抽出する手段、抽出したキーワードを放送信号による映像とともに表示させる手段、表示したキーワードについて検索の指示を受けた場合に、通信ネットワークを介して検索エンジンにキーワード検索を実行させる手段、前記検索エンジンによる検索結果を表示させる手段、としてコンピュータを機能させるためのプログラムが提供される。
【００１３】
上記構成によれば、放送信号に含まれる字幕データからキーワードが抽出され、抽出したキーワードは放送信号による映像とともに表示される。表示したキーワードについて検索の指示を受けた場合に、通信ネットワークを介して検索エンジンによるキーワード検索が実行され、検索結果が表示される。従って、放送された情報に関して、検索エンジンから更なる情報を取得することが可能となる。
【発明の効果】
【００１４】
本発明によれば、番組視聴中においても、番組に関連する情報を検索エンジンから取得することが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の一実施形態に係るデジタル放送受信機１００の構成を示す模式図である。本実施形態に係るデジタル放送受信機１００は、例えば地上デジタル放送の放送信号を受信して、視聴するための機器である。また、デジタル放送受信機１００は、インターネット１５０と接続されることができ、インターネット１５０を介して各種情報を取得することができる。
【００１７】
図１に示すように、デジタル放送受信機１００は、インターネットなどのネットワークと接続されるイーサネット（登録商標）コントローラ１０２、ＮＶＲＡＭ１０４、ＳＤＲＡＭ１０６、ＣＰＵ１０８、インターネットブラウザ１１０、アンテナ１１２、チューナー１１４、ＤＥＭＵＸなどの処理を行う信号処理部１１６、デコーダ１１８、ＥＰＧ格納部１２０、表示制御部１２２、表示パネル１２４、Ｄ／Ａ変換器１２６、スピーカ１２８、ＩｒＤＡ１３０を備える。
【００１８】
デジタル放送受信機１００は、イーサネットコントローラ１０２を介してインターネット１５０と接続されることができる。インターネット１５０から取得した各種情報は、インターネットブラウザ１１０でウェブページを閲覧して、表示パネル１２４に表示することができる。インターネットブラウザ１１０は、ウェブページを閲覧するためのアプリケーションソフトであり、ＣＰＵ１０８をブラウザとして機能させる。インターネットブラウザ１１０のアプリケーションソフト（プログラム）は、テレビ放送受信機１００が備えるメモリに格納されている。ＮＶＲＡＭ１０４、ＳＤＲＡＭ１０６は、インターネット１５０経由で取得した情報を保持し、また、ソフトウェアのプログラムを保持するメモリである。
【００１９】
また、デジタル放送受信機１００が備えるチューナー１１４は、地上デジタル放送の放送信号を受信するもので、地上デジタル放送の放送信号はアンテナ１１２を介してチューナー１１４で受信される。受信した放送信号は、信号処理部１１６へ送られる。信号処理部１１６では、ＤＥＭＵＸの処理により多重化された信号を分離して、チューナー１１４から入力されたトランスポートストリームを、映像（ビデオ）データ、音声（オーディオ）データ、字幕データなどのエレメンタリストリーム（ＥＳ）に分割して、デコーダ１１８へ送る。デコードされた映像データ、字幕データは、表示制御部１２２の制御に応じて表示パネル１２４に表示される。また、デコードされた音声データは、Ｄ／Ａ変換器１２６でアナログ信号に変換されて、スピーカ１２８に送られる。また、信号処理部１１６では、ＳＩ／ＰＳＩ処理を行い、放送信号から電子番組表（ＥＰＧ）のデータを分割してＥＰＧ格納部１２０へ送る。ＥＰＧのデータは、表示制御部１２２の制御に応じて表示パネル１２４に表示される。
【００２０】
以上のような構成を有する本実施形態のデジタル放送受信機１００において、ＣＰＵ１０８がメモリに格納されたプログラムに応じて機能することにより、字幕データの中からキーワード（例えば名詞など）を抽出し、出現頻度の高い複数のキーワードを抽出することができる。
【００２１】
また、ＣＰＵ１０８は、抽出した複数のキーワードに対し、出現頻度に基づいて順位付けをして、これらのキーワードとその出現頻度に関する情報を表示制御部１２２へ送り、表示パネル１２４に表示させる。
【００２２】
図２は、プログラムに応じて動作するＣＰＵ１０８の機能構成を示すブロック図である。図２に示すように、プログラムに応じて機能するＣＰＵ１０８の機能構成として、キーワード抽出部２００、出現頻度算出部２０２、キーワード表示指令部２０４、検索指示受信部２０６、検索指示部２０８、検索結果表示指示部２１０、設定条件取得部２１２がある。
【００２３】
ここで、キーワード抽出部２００は、デコードされた字幕データから、検索キーワードとなり得るキーワードを抽出する。出現頻度算出部２０２は、キーワード抽出部２００によって抽出された複数のキーワードのそれぞれについて、ある時間内の出現回数をカウントし、出現頻度を算出する。キーワード表示指令部２０４は、抽出されたキーワードのうち、出現頻度の高いものを、出現頻度順に順位付けをして表示パネル１２２へ表示させるように表示制御部１２２に対して指示を出す。
【００２４】
図３は、出現頻度に基づいて順位付けされたキーワードが表示パネル１２４に表示された状態を示している。図３は、一例として、スポーツ番組を視聴して場合を示している。この場合、字幕データにはスポーツ選手の名前が比較的多く含まれている。図３では、字幕データの中から著名な野球選手の名前が抽出された状態を示しており、出現頻度順に「長島茂夫」、「王貞晴」、「松井秀樹」、「桑田真純」が抽出されて表示パネル１２４の表示画面１２４ａに表示された状態を示している。
【００２５】
ここで、図３に示すキーワードの表示は、表示画面１２４ａ内で番組の映像とともに表示される。従って、ユーザは、スポーツ番組を見ながら、字幕データの中で出現頻度の高いキーワードをリアルタイムで認識することができる。
【００２６】
そして、ユーザは、表示されているキーワードに関する情報を更に取得したい場合は、リモートコントローラ３００を使用して、複数のキーワードの中から１のキーワードを選択して、インターネット１５０を介して検索エンジンに送ることができる。リモートコントローラ３００により１つのキーワードが選択されると、その情報はＩｒＤＡ１３０からＣＰＵ１０８へ送られる。図２に示す検索指示受信部２０６は、選択されたキーワードによる検索の指示を受信する。そして、検索指示部２０８は、選択されたキーワードをイーサネットコントローラ１０２、インターネット１５０を介して検索エンジンのサーバへ送るよう指示する。検索の結果、検索エンジンのサーバから送られた情報は、検索結果表示指示部２１０の指示により、表示パネル１２４に表示される。
【００２７】
このように、ＣＰＵ１０８が選択されたキーワードを、インターネット１５０を介して検索エンジンに渡すことにより、キーワードが入力された検索エンジンでは、キーワード検索を行う。そして、ヒットしたホームページの一覧等の情報がデジタル放送受信機１００に送られて、表示パネル１２４に表示される。これらの情報は、インターネットブラウザ１１０の機能により表示パネル１２４の表示画面１２４ａ上でブラウズすることが可能である。これにより、ユーザは、番組を見ながら、番組に関連する更に詳細な情報を得ることができる。
【００２８】
従って、本実施形態のデジタル放送受信機１００によれば、地上デジタル波などの放送の受信機能とインターネット１５０を介した検索機能とを融合させることが可能となり、番組に関するより詳細な情報をリアルタイムで取得することが可能となる。
【００２９】
なお、全てのジャンルの番組についてキーワードの抽出を行う必要はなく、キーワードの抽出を行うか否かは、ユーザの設定に応じて適宜決定することができる。例えば、ユーザから予め指定されているジャンルの番組のみでキーワードの抽出を行うようにしても良い。例えば、図３の場合において、スポーツ番組のみについてキーワード抽出を行う旨がユーザによって予め設定されている場合、視聴者がドラマなど他のジャンルの番組を視聴している最中は、キーワードの抽出を行わないようにしても良い。この場合、ＥＰＧから取得した番組のジャンルと、予めユーザからキーワード抽出の設定がなされているジャンルとを比較し、両者が一致している場合はキーワードの抽出を行い、一致していない場合はキーワードの抽出を行わない。図２に示す設定条件取得部２１２は、ユーザによる設定を取得して、必要に応じてキーワード検索を行うように指示を出す。
【００３０】
また、現在視聴している番組について、キーワード検索を行う設定がされていない場合であっても、過去のキーワード抽出の結果を表示する旨のユーザ設定がなされている場合は、過去に抽出したキーワード抽出の結果を表示パネル１２４に表示する。例えば、現在視聴している番組のジャンルがドラマの場合であって、そのジャンルについてはキーワード抽出を行わない旨の設定がされている場合であっても、過去のキーワード抽出の結果を表示する旨の設定がなされている場合は、過去にスポーツ番組でキーワード抽出した結果を図３のように表示することができる。
【００３１】
また、キーワードの抽出は、放送信号に字幕データのエレメンタリーストリームがある場合は常に行うことができ、字幕データの表示パネル１２４への表示のオン／オフに関わらず、字幕データの構文解析を行うことができ、キーワードの抽出は可能である。
【００３２】
次に、図４に基づいて、本実施形態のデジタル放送受信機１００における処理の手順について説明する。先ず、ステップＳ１０では、ユーザによりキーワードの抽出を行う番組が指定される。指定は、ＥＰＧ情報から番組を直接指定しても良いし、番組のジャンル（ドラマ、スポーツ、映画、ニュースなど）に従って指定しても良い。なお、ユーザによる指定をメモリ等に記憶しておけば、電源投入の度にステップＳ１０の処理を行う必要はない。
【００３３】
次に、ステップＳ１２では、現時点で選局されている番組が、ステップＳ１０で指定されている番組であるか否かを判定し、指定された番組である場合はステップＳ１４へ進む。
【００３４】
ステップＳ１４では、放送信号に字幕のエレメンタリストリーム（ＥＳ）が存在するか否かを判定し、字幕ＥＳが存在する場合は、ステップＳ１６へ進み、字幕ＥＳをデコードする。次に、ステップＳ１８では、デコードした字幕データから検索キーワードを抽出する。ここでは、例えば字幕データの中から名詞の単語を抽出する処理を行う。
【００３５】
次に、ステップＳ２０では、抽出したキーワードのそれぞれについて、出現頻度を算出する。ここでは、ある時間内において、各キーワードが抽出された頻度を算出する。次のステップＳ２２では、ステップＳ２０で算出された出現頻度順に、抽出されたキーワードを表示パネル１２４に表示する。
【００３６】
次のステップＳ２４では、ユーザのリモコン操作により、表示したキーワードのいずれかについて検索の指示が発生したか否かを判定する。検索の指示が発生した場合はステップＳ２６へ進み、インターネット１５０を介して、検索エンジンに検索指示用のクエリーを渡す処理を行う。
【００３７】
次のステップＳ２８では、検索エンジンから検索結果を取得し、次のステップＳ３０では、表示パネル１２４の表示画面に検索結果を表示する。ステップＳ３０の後は処理を終了する（ＥＮＤ）。
【００３８】
一方、ステップＳ１２において、現時点で選局されている番組が、ユーザによって指定された番組でない場合は、ステップＳ３２へ進む。ステップＳ３２では、過去に抽出したキーワードを表示する設定がされているか否かを判定し、表示する旨の設定がされている場合は、ステップＳ２２へ進む。ステップＳ２２では、過去に抽出したキーワードを出現頻度順に表示する。一方、ステップＳ３２で過去に抽出したキーワードを表示する設定がされていない場合は、処理を終了する（ＥＮＤ）。
【００３９】
以上説明したように本実施形態によれば、字幕データから抽出したキーワードを表示パネル１２４に表示し、検索エンジンによるキーワード検索を行うことができるため、地上デジタル波などの放送の受信機能とインターネット１５０を介した検索機能とを融合させることが可能となり、放送された情報に関して、検索エンジンから更なる情報を取得することが可能となる。従って、ユーザは、番組内で気に留めた情報について、リアルタイムで効率よく検索を行うことができる。
【００４０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００４１】
【図１】本発明の一実施形態に係るデジタル放送受信機の構成を示す模式図である。
【図２】プログラムに応じて動作するＣＰＵの機能構成を示すブロック図である。
【図３】出現頻度に基づいて順位付けされたキーワードが表示パネルに表示された状態を示す模式図である。
【図４】デジタル放送受信機における処理の手順を示すフローチャートである。
【符号の説明】
【００４２】
１００    デジタル放送受信機
１１６    信号処理部
２００    キーワード抽出部
２０４    キーワード表示指示部
２０８    検索指示部
２１０    検索結果表示部
【図１】
2010154258.tif 000003
【図２】
2010154258.tif 000004
【図３】
2010154258.tif 000005
【図４】
2010154258.tif 000006